(57)【要約】【課題】  車載シガーソケットから取り出した電力を蓄電する機能を備えて、しかも、小形化した車載用具を提供する。【解決手段】  入力用又は出力用に選択使用される複数のＵＳＢ型コネクタ２１，２２を有する第１部材（ドリンクホルダー１０）と、入力用又は出力用に選択使用される少なくとも１つのＵＳＢ型コネクタ４１と蓄電手段とを有して第１部材に対して着脱される第２部材（灰皿３０）とを備える。第１部材の複数のコネクタ２１，２２から選択された１つのコネクタに車載シガーソケット４０から出力される電力を通電するための電送手段５０，７０を備える。【選択図】        図１
2009056862.tif 000002
【特許請求の範囲】
【請求項１】
入力用又は出力用に選択使用される複数のＵＳＢ型のコネクタを有する第１部材と、入力用又は出力用に選択使用される少なくとも１つのＵＳＢ型のコネクタとこのコネクタから取り入れた電力を蓄電する蓄電手段とを有して上記第１部材に対して着脱される第２部材と、を備えていると共に、上記第１部材の複数のコネクタから選択された１つのコネクタに車載シガーソケットから出力される電力を通電するための電送手段とを備えることを特徴とする車載用具。
【請求項２】
上記第１部材が、飲用ドリンク容器を着脱可能なドリンクホルダーである請求項１に記載した車載用具。
【請求項３】
上記第２部材が有底筒状の灰皿である請求項２に記載した車載用具。
【請求項４】
第２部材である灰皿の１つのコネクタが、当該灰皿の横方向へ突き出す突出状態と当該灰皿の胴体に沿う格納姿勢との間で姿勢変更可能に連結されていて、その灰皿を上記第１部材であるドリンクホルダーに装着する動作を通じて格納姿勢の上記コネクタが、上記ドリンクホルダーの上端に設置された１つのコネクタに接続されるように構成されている請求項３に記載した車載用具。
【発明の詳細な説明】
【技術分野】
【０００１】
本発明は、車載用具、詳しくは、車載シガーソケットから取り出した電力を蓄電する機能を備えて、しかも、小形化のための対策が講じられた車載用具に関する。
【背景技術】
【０００２】
従来、車載用具としてのドリンクホルダーや灰皿などが知られている。また、それらのドリンクホルダーや灰皿などは、個別の部材として車室内の別々の場所に設置することができるようになっていた。
【０００３】
【特許文献１】特になし。
【発明の開示】
【発明が解決しようとする課題】
【０００４】
しかしながら、ドリンクホルダーや灰皿などを車室内の別々の場所に設置すると、それだけ車室内の自由空間が狭くなる傾向がある。
【０００５】
本発明は以上の状況に鑑みてなされたものであり、ドリンクホルダーや灰皿などを車室内の１箇所に設置することを可能にすると同時に、それらの大形化を招くことなく、車載シガーソケットから取り出した電力を蓄電することができるようにした車載用具を提供することを目的とする。
【課題を解決するための手段】
【０００６】
本発明に係る車載用具は、入力用又は出力用に選択使用される複数のＵＳＢ型のコネクタを有する第１部材と、入力用又は出力用に選択使用される少なくとも１つのＵＳＢ型のコネクタとこのコネクタから取り入れた電力を蓄電する蓄電手段とを有して上記第１部材に対して着脱される第２部材と、を備えていると共に、上記第１部材の複数のコネクタから選択された１つのコネクタに車載シガーソケットから出力される電力を通電するための電送手段とを備えている。
【０００７】
上記第１部材には、たとえば飲用ドリンク容器を着脱可能なドリンクホルダーを選択することができ、上記第２部材には、たとえば有底筒状の灰皿を選択することができる。
【０００８】
本発明では、第２部材である灰皿の１つのコネクタが、当該灰皿の横方向へ突き出す突出状態と当該灰皿の胴体に沿う格納姿勢との間で姿勢変更可能に連結されていて、その灰皿を上記第１部材であるドリンクホルダーに装着する動作を通じて格納姿勢の上記コネクタが、上記ドリンクホルダーの上端に設置された１つのコネクタに接続されるように構成されていることが望ましい。
【０００９】
これらの各発明の作用や具体的構成は、後述する実施形態を参照してさらに詳細に説明する。
【発明の効果】
【００１０】
本発明に係る車載用具によると、ドリンクホルダーや灰皿などを車室内の１箇所に設置することが可能になり、しかも、それらの大形化を招くことなく、車載シガーソケットから取り出した電力を蓄電することができるという効果を奏する。
【発明を実施するための最良の形態】
【００１１】
図１は本発明の車載用具の一例を示した概略斜視図である。同図において、１０は第１部材としてのドリンクホルダーを、３０は第２部材としての灰皿を、それぞれ示している。
【００１２】
第１部材としてのドリンクホルダー１０は、上側の環状アーム１１と下側の有底環状アーム１２とを連結杆１３によって一体化してなる。また、このドリンクホルダー１０には、車載エアコンのルーバ（不図示）に着脱可能な着脱具１４が設けられている。このドリンクホルダー１０によると、着脱具１４を車載エアコンのルーバに装着しておくと、環状アーム１１と有底環状アーム１２との中に飲用ドリンクの容器を収容することが可能である。
【００１３】
この実施形態では、ドリンクホルダー１０の上側の環状アーム１１の上端の１箇所にＵＳＢ型の１つの上部コネクタ２１が設置されている。また、ドリンクホルダー１０の下側の有底環状アーム１２の周囲の１箇所又は複数箇所（たとえば、等角度おきの３箇所）にもＵＳＢ型の下部コネクタ２２が設置されている。そして、それらのコネクタ２１，２２は、相互に並列接続されていて、それらのうちの１つのコネクタを入力用として用いると、残りのコネクタを出力用として用いることができる。
【００１４】
一方、第２部材としての灰皿３０は、有底円筒状の胴体３１と、この胴体３１の上端部に開閉可能に装着されている蓋３２とを備えていて、蓋３２を開けて胴体３１の中に煙草の灰や吸殻を入れることができるようになっている。また、胴体３１の上端部の周方向１箇所に、横軸３３が取り付けられている。そして、その横軸３３に、ＵＳＢ型のコネクタ４１が取り付けられていて、そのコネクタ４１が、灰皿３０の横方向へ突き出す突出状態と灰皿３０の胴体３１に沿う格納姿勢との間で姿勢変更可能に連結されている。さらに、灰皿３０には、入力コネクタ４１から取り入れた電力を蓄電するための蓄電手段（蓄電機能を有するコンデンサーなど。不図示）が設置されていて、その蓄電手段によって蓄えた電力を、灰皿３０の内側を照明するためのＬＥＤランプを点灯させることに利用できるようになっている。
【００１５】
灰皿３０の胴体３１は、ドリンクホルダー１０の環状アーム１１と有底環状アーム１２との中に収容しておくことが可能な形状になっている。そして、その胴体３１をドリンクホルダー３０の中に上から挿入して収容させるときにそのコネクタ４１を図示のように格納姿勢にしておくと、灰皿３０を収容させる動作を通じてコネクタ４１をドリンクホルダー１０の上部コネクタ２１に接続することができるようになっている。
【００１６】
以上のように構成されている車載用具によると、車載エアコンのルーバに装着したドリンクホルダー１０に対して灰皿３０を出し入れすることができ、しかも、入れるときには、その入れる動作を通じてコネクタ４１をドリンクホルダー１０の上部コネクタ２１に接続することができる。したがって、ドリンクホルダー１０の下部コネクタ２２の１つを選択して、そのコネクタ２２に車載シガーソケットから出力される電力を通電すると、灰皿３０の蓄電手段によって電力が蓄えられる。そのため、車載シガーソケットからの給電を絶った状態であっても、蓄電手段に蓄えられている電力を利用して灰皿３０の内側をＬＥＤランプで照明することが可能になる。したがって、たとえば車載シガーソケットから出力される電力を他の車載用具（たとえばシガーライター）に用いているときであっても、暗い車室内で灰皿３０の内側をＬＥＤランプで照らしてその位置を使用者に知らせることができるようになる。
【００１７】
図２は車載シガーソケット４０から出力される電力を通電するための第１電送手段５０を示している。この第１電送手段５０は、多口のＵＳＢ型出力コネクタ６１を有する電源分配器６０と、この電源分配器６０に備わっているシガープラグ６２とを備えている。そして、シガープラグ６２をその相手方である車載シガーソケット４０に差し込むことによって、多口のＵＳＢ型出力コネクタ６１によって電力を分配することが可能である。多口のＵＳＢ型出力コネクタ６１は複数のＵＳＢ型ソケット６３を備えている。
【００１８】
図３は上記第１電送手段５０と組み合わせて使用される第２電送手段７０を示している。この第２電送手段７０は互いに電気的に接続されている２つのＵＳＢ型コネクタ７１，７２を備えていて、一方のコネクタを入力用として用いたときは、他方のコネクタを出力用コネクタとして用いることができる。
【００１９】
そして、この実施形態では、図２の第１電送手段５０と図３の第２電送手段７０とによって、ドリンクホルダー１０の上部コネクタ２１や下部コネクタ２２から選択された１つのコネクタに車載シガーソケット４０から出力される電力を通電するための電送手段が構成されている。
【００２０】
以上の構成を有する車載用具において、それに用いられているＵＳＢ型のコネクタ２１，２２，４１は、一般的にはキーボードやマウス、モデムなどの周辺機器とパソコンとを結ぶデータ電送路の規格であるユニバーサルシリアルバス（Ｕｎｉｖｅｒｓａｌ  Ｓｅｒｉａｌ  Ｂｕｓ）を、通電用に転用したものである。したがって、ＵＳＢ型のコネクタは車載シガーソケットやシガープラグに比べて小形である。その結果、ドリンクホルダー１０や灰皿３０にＵＳＢ型のコネクタを組み込んでも、それによってドリンクホルダー１０や灰皿３０が大形化する可能性は少ない。したがって、ドリンクホルダー１０や灰皿３０は、ＵＳＢ型コネクタを有しない場合と同様の大きさに形成することができる。
【００２１】
上記車載用具において、第１電送手段５０のシガープラグ６２を車載シガーソケット４０に差し込み、その電源分配器６０のＵＳＢ型出力コネクタ６１の１つのＵＳＢ型ソケット６３とドリンクホルダー１０の下部コネクタ２２の１つとを第２電送手段７０を用いて接続すると、車載シガーソケット４０からドリンクホルダー１０に電力が分配される。したがって、上記ように、ドリンクホルダー１０に灰皿３０を入れて、灰皿３０側のコネクタ４１をドリンクホルダー１０側の上部コネクタ２１に接続しておくと、灰皿３０の蓄電手段によって電力が蓄えられる。
【００２２】
この実施形態では、第１部材としてドリンクホルダー１０を選択し、第２部材として灰皿３０を選択したけれども、この点は、第１部材としてドリンクホルダー１０以外の車載用具（たとえば携帯電話機ホルダー）を選択し、第２部材として車載用として使用される携帯電話機を選択することも可能である。また、灰皿３０などによって構成される第２部材には、入力用又は出力用に選択使用される少なくとも１つのＵＳＢ型のコネクタとこのコネクタから取り入れた電力を蓄電する蓄電手段とを具備させることも可能である。
【図面の簡単な説明】
【００２３】
【図１】本発明の車載用具の一例を示した概略斜視図である。
【図２】第１電送手段の説明図である。
【図３】第２電送手段の説明図である。
【符号の説明】
【００２４】
１０  ドリンクホルダー（第１部材）
２１，２２，４１  ＵＳＢ型のコネクタ
３０  灰皿（第２部材）
５０  第１電送手段（電送手段）
７０  第２電送手段（電送手段）
【図１】
2009056862.tif 000003
【図２】
2009056862.tif 000004
【図３】
2009056862.tif 000005